(57)【特許請求の範囲】
【請求項１】
多価金属塩と、両性界面活性剤である第１の界面活性剤と、非イオン性界面活性剤である第２の界面活性剤と、を含むインク中の成分と反応させるための水性反応液であって、前記多価金属塩は、水性反応液組成物全体に対して１０重量％〜６０重量％の量で存在し、前記両性界面活性剤が、水性反応液組成物全体に対して０．５重量％〜５重量％の量で存在する、水性反応液。
【請求項２】
前記両性界面活性剤が、コカミドプロピレンベタイン、ラウリルジメチルアミンオキシド、ラウリルベタイン、ステアリルベタイン、ヒドロキシスルタイン、ココアムホプロピオン酸ナトリウム及びジプロピオネート両性界面活性剤からなる群から選択される、請求項１に記載の水性反応液。
【請求項３】
前記第２の界面活性剤が、水性反応液組成物全体に対して０．１重量％〜２重量％の量で存在する、請求項１〜２のいずれか一項に記載の水性反応液。
【請求項４】
第２の界面活性剤に対する第１の界面活性剤の質量比が１〜６である、請求項１〜３のいずれか一項に記載の水性反応液。
【請求項５】
前記塩が、有機酸の共役塩基の塩を含む、請求項１〜４のいずれか一項に記載の水性反応液。
【請求項６】
前記有機酸が、ギ酸及び少なくとも１つの不斉中心を含み、且つ、２００ｇ／ｍｏｌ未満の分子量を有する有機酸から選択される、請求項５に記載の水性反応液。
【請求項７】
前記有機酸がアミノ酸である、請求項５〜６のいずれか一項に記載の水性反応液。
【請求項８】
前記塩がカチオンとして金属イオンを含み、前記金属イオンが、好ましくは多価金属イオンであり、好ましくはＣａ２＋、Ｍｇ２＋、Ｓｒ２＋、Ｚｎ２＋、Ｃｕ２＋、Ｎｉ２＋、Ｆｅ３＋、Ｃｒ３＋及びＡｌ３＋からなる群から選択される、前記請求項１〜７のいずれか一項に記載の水性反応液。
【請求項９】
前記有機酸が、ギ酸、アスコルビン酸、グルタミン酸及びピドル酸からなる群から選択される、請求項５〜６のいずれか一項に記載の水性反応液。
【請求項１０】
請求項１〜９のいずれか一項に記載の水性反応液と、前記反応液に含まれる前記塩と接触すると凝集する分散した粒子を含むインク組成物とを含むインクセット。
【請求項１１】
前記インク組成物に含まれる前記分散粒子が、顔料粒子及び／又はラテックス粒子を含む、請求項１０に記載のインクセット。
【請求項１２】
印刷の方法であって、
−請求項１〜９のいずれか一項に記載の水性反応液と、前記反応液に含まれる前記塩と接触すると凝集する分散粒子を含むインク組成物と、プリント基板と、を提供するステップと、
−前記反応液を前記プリント基板の表面に塗布するステップと、
−前記インク組成物を前記プリント基板の表面に塗布するステップと、
を含む方法。
【請求項１３】
前記反応液は、前記プリント基板の表面に最初に塗布され、及び続いて前記インク組成物が前記プリント基板の表面に塗布される、請求項１２に記載の印刷の方法。
【請求項１４】
前記反応液がインクジェットによって塗布される、請求項１２〜１３のいずれか一項に記載の方法。
【発明の詳細な説明】
【技術分野】
【０００１】
発明の分野
本発明は、インクジェット印刷に使用するのに適した反応液、特に、インクジェット画像形成装置を用いてプリント基板(print  substrate)上に塗布するのに適した反応液に関する。
【背景技術】
【０００２】
背景技術
インクジェット印刷の分野では、反応液が印刷品質を改善するために使用される。反応液は、インク中の成分と反応する成分を含む。例えば、（インク中に存在する）分散した顔料粒子のコロイド安定性は、（反応液中に存在する）金属塩によって付与される。したがって、インク組成物と反応液とが接触すると、分散された顔料粒子が不安定化し、凝集し、プリント基板にピン留めされる(pinned)。したがって、マシンコートされた（ＭＣ）紙上でのカラー（間）ブリーディング及び合体が防止され、これは印刷品質の改善である。普通紙ではＯＤが増加し、裏写りが減少する。
【０００３】
反応液は従来技術から公知であり、通常、定着剤及び／又は粉砕(crashing)剤の機能を有する強酸性化合物又は（多）価金属塩のいずれかを含む。
【０００４】
先行技術から、特に米国特許第６，４１９，３５２号；米国特許第６，７８６，５８８号；米国特許第８，５２３，３４２号；米国特許第５，５９１，０１８号；ＵＳ２０１１／０３０３１１３；ＵＳ２０１２／００９８８８３；ＵＳ２０１２／０３１４０００；国際公開第２０１４／０５１５４７号から、反応溶液、プライマー液、（前）処理液体又は組成物とも呼ばれる反応液、多価金属塩を含む処理液又はインク受容液が公知である。
【０００５】
公開された米国特許出願第２０１２／００１９５８８号は、定着剤として金属カルボン酸塩を含むインクジェット印刷用の定着液を開示している。特に、酢酸カルシウム、プロピオン酸カルシウム、酪酸カルシウム、臭化カルシウム、炭酸カルシウム、塩化カルシウム、クエン酸カルシウム、シアナミドカルシウム、リン酸カルシウム、乳酸カルシウム、硝酸カルシウム、シュウ酸カルシウム及び硫酸カルシウムが定着剤として開示されている。
特に、酢酸カルシウム、プロピオン酸カルシウム、酪酸カルシウム、臭化カルシウム、炭酸カルシウム、塩化カルシウム、クエン酸カルシウム、シアン化カルシウム、リン酸カルシウム、乳酸カルシウム、硝酸カルシウム、シュウ酸カルシウム及び硫酸カルシウムが定着剤として開示されている。
【０００６】
公開された米国特許出願第２０１４／００５５５２０号は、少なくとも１つの金属塩、特に塩化カルシウムを含むインク受容溶液を開示している。
【０００７】
（多）価の金属塩を含む反応液は、通常、酸又はハライドの共役塩基をアニオンとして含む。
【０００８】
既知の反応液の欠点は、最も一般的に使用されるプリント基板上での劣った拡散挙動(spreading  behavior)を示し、インライン及びオフラインのインクジェット印刷によって適用するのが適さなくなることである。
【０００９】
高い液体負荷によるプリント基板の変形を防止するために、薄い層をプリント基板に塗布することを可能にするために必要とされる、高い塩濃度で、既知の反応液の別の欠点は、一般に使用される界面活性剤は、高い塩含量で反応液の成分との相溶性を失うので、拡散挙動がますます悪くなることである。
【発明の概要】
【発明が解決しようとする課題】
【００１０】
従って、本発明の目的は、高い塩含有量を含む反応液を提供することであり、この反応液は、インクジェット印刷によって薄層に塗布するのに適しており、且つ、改善された拡散挙動を示す。
【００１１】
発明の概要
この目的は、多価金属塩と、両性界面活性剤である第１の界面活性剤と、非イオン性(non-ionic)界面活性剤である第２の界面活性剤とを含む反応液によって少なくとも部分的に達成され、好ましくは親水性シリコーン（例えば、ポリアルキレンオキシド変性シリコーン／ポリエーテル変性シリコーン）、アルコキシル化アルコール、フルオロ界面活性剤、ポリエーテル変性シリコーン界面活性剤及びポリエチレンオキシドからなる群から選択される。
【課題を解決するための手段】
【００１２】
本発明者らは、驚くべきことに、両性界面活性剤を反応液に添加することにより、一般的に使用される界面活性剤と反応液との相溶性が向上すること、及び、一般的に使用される界面活性剤が、両性界面活性剤と併用して、単一の界面活性剤として両性界面活性剤を含む反応液に関して拡散挙動を改善することを見出した。
【００１３】
一実施形態では、両性界面活性剤は、コカミドプロピレンベタイン、ラウリルジメチルアミンオキシド、ラウリルベタイン(larylbetaine)、ステアリルベタイン、ヒドロキシスルタイン(hydroxysultains)、ココアムホプロピオン酸ナトリウム及びジプロピオネート両性界面活性剤（Ｔｏｍａｍｉｎｅ（登録商標）)からなる群から選択される。
【００１４】
一実施形態では、ジプロピオネート両性界面活性剤（Ｔｏｍａｍｉｎｅ（登録商標））は、以下の式：
【化１】
0006644058.tif 000002
（式中、
Ｒは親油性基、好ましくはＣ４〜Ｃ２５直鎖アルキル基を表す）を有する。
【００１５】
一実施形態では、両性界面活性剤は、全水性反応液組成(composition)に対して０．５重量％〜５重量％、好ましくは１重量％〜４重量％、より好ましくは１．５重量％〜３重量％の量で存在する。
【００１６】
一実施形態では、第２の界面活性剤は、全水性反応液組成に対して０．１重量％〜２重量％、好ましくは０．３重量％〜１．５重量％、より好ましくは０．５重量％〜１重量％の量で存在する。
【００１７】
一実施形態では、第２の界面活性剤に対する第１の界面活性剤の質量比は、１〜６、好ましくは１．５〜５、より好ましくは２〜４である。
【００１８】
一実施形態では、塩は、有機酸の共役塩基の塩を含む。
【００１９】
一実施形態では、有機酸は、ギ酸、及び少なくとも１つの不斉中心を含み、且つ、２００ｇ／モル未満の分子量を有する有機酸から選択される。
【００２０】
一実施形態では、有機酸はアミノ酸である。
【００２１】
一実施形態では、塩は、カチオンとして金属イオン、好ましくは多価金属イオン、より好ましくはＣａ２＋、Ｍｇ２＋、Ｓｒ２＋、Ｚｎ２＋、Ｃｕ２＋、Ｎｉ２＋、Ｆｅ３＋、Ｃｒ３＋及びＡｌ３＋からなる群から選択されるもの、を含む。Ｍｇ２＋及びＣａ２＋は健康・安全・環境（ＨＳＥ）の理由から最も好ましい。
【００２２】
一実施形態では、有機酸は、ギ酸、アスコルビン酸、グルタミン酸及びピドル酸(pidolic  acid)からなる群から選択される。これらのうち、ギ酸は臭いのために最も好ましくない。
【００２３】
一実施形態では、塩はＭｇ−ピドラート(pidolate、ピドル酸塩)又はＣａ−ピドラートを含む。これらは、健康・安全・環境（ＨＳＥ）に優しく、非腐食性、且つ、無臭である。
【００２４】
別の態様では、本発明は、
上述の水性反応液と、
前記反応液凝集物に含まれる前記塩と接触すると不安定化し、好ましくは凝集する分散粒子を含むインク組成物と、
を含むインクセットに関する。
【００２５】
一実施形態では、インク組成物に含まれる分散粒子は顔料粒子を含む。
【００２６】
一実施形態では、インク組成物に含まれる分散粒子は、ラテックス粒子を含む。
【００２７】
さらに別の態様において、本発明は、以下のステップ：
−本発明による水性反応液と、前記反応液凝集物に含まれる前記塩と接触すると不安定化し、好ましくは凝集する分散粒子を含むインク組成物と、プリント基板と、を提供するステップと、
−前記反応液を前記プリント基板の表面に塗布するステップと、
−前記インク組成物を前記プリント基板の表面に塗布するステップと、
を含む印刷方法に関する：
【００２８】
一実施形態では、反応液をまずプリント基板の表面に塗布し、及び続いてインク組成物をプリント基板の表面に塗布する。
【００２９】
一実施形態では、反応液はインクジェットによって塗布される。
【００３０】
一実施形態では、反応液はプリント基板の表面にパターンで塗布される。
【００３１】
一実施形態では、反応液は、その後にインク組成物を印刷することによって形成される画像に従ってプリント基板の表面に塗布される。
【００３２】
一実施形態では、インク組成物は、インクジェットによってイメージワイズに(imagewise)塗布される。
【００３３】
本発明は、本明細書の以下の詳細な説明、及び説明のためのみに与えられ、且つ、本発明を限定するものではない例からより完全に理解されるであろう。
【発明を実施するための形態】
【００３４】
詳細な説明
反応液
本発明による反応液は、塩、好ましくは有機酸の金属塩と、両性界面活性剤である第１の界面活性剤と、アルコキシル化アルコール、フルオロ界面活性剤、ポリエーテル変性シリコーン界面活性剤及びポリエチレンオキシドからなる群から選択される第２の界面活性剤と、水と、を含む。反応液は、共溶媒及びｐＨ調整剤のような他の添加剤を含んでいてもよい。本発明による反応液は、当該技術分野において周知の普通紙及びマシンコート（ＭＣ）紙に好適に使用することができる。
【００３５】
金属塩
本発明の反応液において好適に用いることができる金属塩は、Ｌｉ＋、Ｎａ＋、Ｋ＋、Ｈｇ＋、Ｃｕ＋、及びＡｇ＋等の１価の金属イオンを含む。しかし、プリント基板（特に紙状の基板）の変形を防止するために、反応液の薄層をプリント基板に塗布できることが好ましい。したがって、薄層で効果的な反応液を提供するためには、比較的高いイオン強度を与える塩が好ましい。
【００３６】
本発明の文脈において、イオン強度は、等式１に従って定義される：
【数１】
0006644058.tif 000003
【００３７】
式中、
ＩはＭ（すなわちｍｏｌ／Ｌ）のイオン強度であり、
ｃｉはイオンｉの濃度であり、
ｚｉはイオンｉの価数である。
【００３８】
例えば、０．５モル／ＬのＮａ２ＳＯ４溶液のイオン強度は、１．５Ｍである。
０．５×（２×０．５×（１）２＋１×０．５×（−２）２）＝１．５Ｍ
【００３９】
観察すべき別の基準は、選択された塩の溶解度が有効な反応溶液を調製することができるように十分高いことである。これらの理由から、Ｃａ２＋、Ｍｇ２＋、Ｓｒ２＋、Ｚｎ２＋、Ｃｕ２＋、Ｎｉ２＋、Ｆｅ３＋、Ｃｒ３＋及びＡｌ３＋のような多価金属イオンが好ましい。これらのうち、Ｍｇ２＋及びＣａ２＋が健康・安全・環境（ＨＳＥ）の理由から最も好ましい。
【００４０】
酸のような(acid-like)アニオンを用いることにより、選択されたカチオンは、７を超えるｐＨで沈殿することなく使用することができる。そのような酸（特にアミノ酸）の可溶性塩は、反応液のインクジェット適用(application)に使用するのに適している。それらの比較的高い溶解度のために、高い塩含量を含む反応溶液を得ることができる。したがって、プリント基板上の有効塩含有量（０．２−１．５ｇ／ｍ２の反応液）を得るために、薄層を適用することができる。上述したように、反応溶液の薄層の塗布は、プリント基板に加える必要がある液体がより少ないという事実のために、プリント基板の変形を低減又は防止するのに寄与する。好適なアニオンの例は、（これらに限定されないが）ホルマート（ギ酸）、ギ酸（ギ酸）、アスコルベート（アスコルビン酸）、グルタメート（グルタミン酸）、ピドラート(pidolate)（ピドル酸(pidolic  acid)）、タウレート（タウリン）、アスパルテート（アスパラギン酸）、アスパラギナート（アスパラギン）、グリシネート（グリシン）、アルギネート（アルギニン）である。
【００４１】
本発明の文脈において、最も好ましい多価金属塩は、マグネシウムピドラート及びカルシウムピドラートである。反応液中でのこれらの塩の使用は、最も効果的な、健康・安全・環境（ＨＳＥ）に優しく、非腐食性で、無臭の反応液を提供する。
【００４２】
一般に、本発明による反応液は、組成物全体に対して、多価(multi-valent)金属塩の１０重量％〜６０重量％、好ましくは１５重量％〜５０重量％、より好ましくは２０重量％〜４０重量％を含む。しかしながら、塩の量は、塩の最大溶解度に限定される。反応液中の塩の飽和度（実際の濃度／最大溶解度×１００％）は、一般に１０％〜１００％、好ましくは１５％〜９５％、より好ましくは２０％〜８０％である。
【００４３】
共溶媒
噴射可能性要件を満たすために、共溶媒を反応液に添加することができる。共溶媒は、複数の機能を持つことができる。例えば、反応液のレオロジー的挙動を適合させる機能、及び／又は画像化装置内又は画像化装置のノズル表面上の反応液の乾燥を防止する機能である。前記乾燥は、画像化装置内又はノズルプレート上の金属塩の沈殿をもたらし得る。共溶媒はまた、主溶媒（水）のプリント基板への浸透を改善するために使用されてもよく、そのような共溶媒は浸透剤とも呼ばれる。使用される共溶媒の種類は、本発明の効果が維持される限り、いかなる種類にも限定されない。同様に（水性）インク組成物に使用される共溶媒は、本発明の反応液に好適に使用することができる。好適な共溶媒の例は、水溶性有機溶媒、例えば多価アルコール、多価アルコールアルキルエーテル、多価アルコールアリールエーテル、窒素含有複素環式化合物、アミド、アミン、アンモニウム化合物、硫黄含有化合物、プロピレンカーボネート及びエチレンカーボネート、である。
【００４４】
水溶性有機溶媒は、グリセリン（グリセロールとも呼ばれる）、プロピレングリコール、ジプロピレングリコール、トリプロピレングリコール、テトラプロピレングリコール、ポリプロピレングリコール、エチレングリコール、ジエチレングリコール、トリエチレングリコール、テトラエチレングリコール、好ましくは、２００ｇ／ｍｏｌ〜１０００ｇ／ｍｏｌの分子量を有するポリエチレングリコール（例えばＰＥＧ２００、ＰＥＧ４００、ＰＥＧ６００、ＰＥＧ８００、ＰＥＧ１０００）、グリセロールエトキシレート、ペタエリスリトールエトキシレート、好ましくは、２００ｇ／ｍｏｌ〜１０００ｇ／ｍｏｌの分子量を有するポリエチレングリコール（ジ）メチルエーテル、トリメチロールプロパン、ジグリセロール（ジグリセリン）、トリメチルグリシン（ベタイン）、Ｎ−メチルモルホリンＮ−オキシド、デカグリセロール、１，４−ブタンジオール、１，３−ブタンジオール、１，２，６−ヘキサントリオール、２−ピロリジノン、ジメチルイミダゾリジノン、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、プロピレングリコールモノブチルエーテル、ジプロピレングリコールモノメチルエーテル、ジプロピレングリコールモノエチルエーテル、ジプロピレングリコールモノプロピルエーテル、ジエチレングリコールモノブチルエーテル、トリプロピレングリコールモノメチルエーテル、トリプロピレングリコールモノエチルエーテル、トリプロピレングリコールモノプロピルエーテル、トリプロピレングリコールモノブチルエーテル、テトラプロピレングリコールモノメチルエーテル、ジエチレングリコールジエチルエーテル、ジエチレングリコールジブチルエーテル、トリエチレングリコールジエチルエーテル、トリエチレングリコールジブチルエーテル、ジプロピレングリコールジブチルエーテル、トリプロピレングリコールジブチルエーテル、３−メチル２，４−ペンタンジオール、ジエチレングリコールモノエチルエーテルアセタート、１，２−ヘキサンジオール、１，２−ペンタンジオール及び１，２−ブタンジオールを包含する（が、これらに限定されない）。
【００４５】
一実施形態では、水溶性有機溶媒の混合物は、本発明の反応液に含まれていてもよい。個々の有機溶媒は、インク組成物全体に対して、好ましくは１重量％〜４０重量％、より好ましくは３重量％〜３０重量％、さらにより好ましくは５重量％〜２０重量％の量で存在する。
【００４６】
ｐＨ調節剤
金属塩の溶解性を最適化するためにｐＨ調整剤を反応液に添加することができる。一般に、本発明による反応液に使用される金属塩は、ｐＨ＞７で最適な溶解度を示す。従って、アルカリ性のｐＨ調整剤が好ましい。適切なｐＨ調整剤の例は、アンモニア、（第二及び第三）アミン、アミノアルコール、特にＮ−アルキルジアルカノールアミンであるが、これらに限定されない。好適なアミノアルコールの特定の例は、トリエタノールアミン、Ｎ−メチルジエタノールアミン、Ｎ−エチルジエタノールアミン、Ｎ−ｎ−ブチル−モノエタノールアミン及びＮ−ｎ−ブチル−ジエタノールアミンである。
【００４７】
通常、ｐＨ調節剤は、反応液中に少量、特に全反応液組成物に対して１重量％未満で存在する。しかし、ｐＨ調整剤は、所望のｐＨに達するまで、そして本発明の効果が保持される限り、いずれの量で好適に適用することができる。
【００４８】
界面活性剤
プリント基板上での反応液の拡散挙動(spreading  behaviour)を改善するため、界面活性剤を反応液に添加することができる。
【００４９】
界面活性剤の例は、非イオン性界面活性剤、カチオン性界面活性剤、アニオン性界面活性剤、両性界面活性剤、特にベタイン界面活性剤、シリコーン界面活性剤、及びフッ素系界面活性剤、を包含する。特に、少なくとも１種は、アセチレン系界面活性剤、シリコーン系界面活性剤、フッ素系(fluorochemical)界面活性剤から選ばれる
【００５０】
カチオン性界面活性剤の例は、脂肪族アミン塩、脂肪族第４アンモニウム塩、ベンザルコニウム塩、塩化ベンゼトニウム、ピリジニウム塩、イミダゾリニウム塩等を包含する。
【００５１】
アニオン性界面活性剤の例は、ポリオキシエチレンアルキルエーテル酢酸塩、ドデシルベンゼンスルホン酸塩、ラウリン酸塩、及びポリオキシエチレンアルキルエーテル硫酸エステル(sulfate)の塩、脂肪酸石鹸、Ｎ−アシル−Ｎ−メチルグリシン塩、Ｎ−アシル−Ｎ−メチル−β−アラニン塩、Ｎ−アシルグルタメート、アシル化ペプチド、アルキルスルホン酸塩、アルキルベンゼンスルホン酸塩、アルキルナフタレンスルホン酸塩、ジアルキルスルホスクシネート（例えばジオクチルスルホコハク酸ナトリウム（ＤＳＳ）；別名：  ドキュセートナトリウム、Ａｅｒｏｓｏｌ  ＯＴ及びＡＯＴ）、アルキルスルホアセテート、α−オレフィンスルホネート、Ｎ−アシル−メチルタウリン、スルホン化油、高級アルコール硫酸塩、第２高級アルコール硫酸塩、アルキルエーテル硫酸エステル(sulfate)、第２高級アルコールエトキシサルフェート、ポリオキシエチレンアルキルフェニルエーテルサルフェート、モノグリサルフェート、脂肪酸アルキロールアミド硫酸塩、アルキルエーテルリン酸塩、及びアルキルリン酸塩を包含する。
【００５２】
両性界面活性剤の例は、カルボキシベタイン型、スルホベタイン型、アミノカルボン酸塩、及びイミダゾリウムベタインを包含する。
【００５３】
非イオン性界面活性剤の例は、ポリオキシエチレンアルキルエーテル、ポリオキシプロピレンポリオキシエチレンアルキルエーテル、ポリオキシエチレン第２アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレンアルキルエステル、ポリオキシエチレングリセリン脂肪酸エステル、ポリオキシエチレンヒマシ油、水素化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、ポリオキシエチレンソルビタン脂肪酸エステル、プロピレングリコール脂肪酸エステル、甘蔗糖脂肪酸エステル、脂肪酸アルカノールアミド、ポリオキシエチレンアルキルアミド、ポリオキシエチレン脂肪酸アミド、ポリオキシエチレンアルキルアミン、アルキルアミンオキシド、アルコキシル化アルコール、アセチレングリコール、エトキシル化アセチレングリコール、アセチレンアルコールを包含する。
【００５４】
フッ素系界面活性剤としては、フッ素置換炭素原子数２〜１６を持つ界面活性剤が好ましく、且つ、フッ素置換炭素原子数４〜１６を持つ界面活性剤がより好ましい。フッ素置換炭素原子数が２未満であると、フッ素系界面活性剤特有の効果が得られないことがある。１６を超えると保存安定性等の低下を招くおそれがある。
【００５５】
フッ素系界面活性剤の例は、非イオン性フッ素系界面活性剤、アニオン性フッ素系界面活性剤、及び両性フッ素系界面活性剤を包含する。非イオン性含フッ素界面活性剤の例は、パーフルオロアルキルリン酸エステル化合物、パーフルオロアルキルエチレンオキサイド付加物、パーフルオロアルキルエーテル基を側鎖に有するポリオキシアルキレンエーテルポリマー化合物を包含する。中でも、パーフルオロアルキルエーテル基を側鎖に有するポリオキシアルキレンエーテル系ポリマー化合物は、発泡性が低いため好ましい。
【００５６】
フッ素系界面活性剤としては、市販品を用いることができる。
【００５７】
市販品の例は、
サーフロン(SURFLON)Ｓ−Ｈ１、Ｓ−１１２、Ｓ−１１３、Ｓ−１２１、Ｓ−１３１、Ｓ−１３２、Ｓ−１４１４及びＳ−１４５（以上、Ａｓａｈｉ  Ｇｌａｓｓ  Ｃｏ．，  Ｌｔｄ．）、
ＦＬＵＯＲＡＤ  ＦＣ−９３、ＦＣ−９５、ＦＣ−９８、ＦＣ−１２９、ＦＣ−１３５、ＦＣ−１７０Ｃ、ＦＣ−４３０、及びＦＣ−４３１（いずれもＳｕｍｉｔｏｍｏ  ３Ｍ  Ｌｉｍｉｔｅｄ製）、
メガファック（ＭＥＧＡＦＡＣ）  Ｆ−４７０、Ｆ−１４０５、及びＦ−４７４（いずれもＤａｉｎｉｐｐｏｎ  Ｉｎｋ  Ｃｈｅｍｉｃａｌ  Ｉｎｄｕｓｔｒｉｅｓ  Ｃｏ．，  Ｌｔｄ．製）、
ＺＯＮＹＬ  ＴＢＳ、ＦＳＰ、ＦＳＡ、ＦＳＮ−１００、ＦＳＮ、ＦＳＯ−１００、ＦＳＯ、ＦＳ−３００、及びＵＲ（いずれもＥ．Ｉ．  ｄｕ  Ｐｏｎｔ  ｄｅ  Ｎｅｍｏｕｒｓ  ａｎｄ  Ｃｏｍｐａｎｙ製）、
ＦＴ−１１０、ＦＴ−２５０、ＦＴ−２５１、ＦＴ−４００Ｓ、ＦＴ−１５０、及びＦＴ−４００ＳＷ（いずれもＮｅｏｓ  Ｃｏｍｐａｎｙ  Ｌｉｍｉｔｅｄ製）、並びに
ＰＯＬＹＦＯＸ  ＰＦ−１３６Ａ、ＰＦ−１５６Ａ、ＰＦ−１５１Ｎ、ＰＦ−１５４、及びＰＦ−１５９（いずれもＯＭＮＯＶＡ  Ｓｏｌｕｔｉｏｎｓ  Ｉｎｃ．製）
を包含する。これらの中でも、ＺＯＮＹＬ  ＦＳ−３００（Ｅ．Ｉ．  ｄｕ  Ｐｏｎｔ  ｄｅ  Ｎｅｍｏｕｒｓ  ａｎｄ  Ｃｏｍｐａｎｙ製）、ＦＴ−１１０、ＦＴ−２５０、ＦＴ−２５１、ＦＴ−４００Ｓ、ＦＴ−１５０、ＦＴ−４００ＳＷ（Ｎｅｏｓ  Ｃｏｍｐａｎｙ  Ｌｉｍｉｔｅｄ製）、及びＰＯＬＹＦＯＸ  ＰＦ−１５１Ｎ（ＯＭＮＯＶＡ  Ｓｏｌｕｔｉｏｎｓ  Ｉｎｃ．製）は、印刷品質、特に発色性及び染料レベリング性に優れる点で好ましい。
【００５８】
シリコーン系界面活性剤としては、特に制限はなく、且つ、使用目的に応じて適宜選択することができる。
【００５９】
シリコーン系界面活性剤の例は、側鎖変性ポリジメチルシロキサン、両末端変性ポリジメチルシロキサン、片末端変性ポリジメチルシロキサン、側鎖／両末端変性ポリジメチルシロキサンを包含する。変性基としてポリオキシエチレン基又はポリオキシエチレンポリオキシプロピレン基を有するポリエーテル変性シリコーン界面活性剤は、水系界面活性剤として優れた物性を有するため特に好ましい。
【００６０】
シリコーン界面活性剤は、適宜合成してもよく、又は市販品を用いてもよい。市販品は、ＢＹＫ  Ｃｈｅｍｉｅ  ＧｍｂＨ、Ｓｈｉｎ−Ｅｔｓｕ  Ｃｈｅｍｉｃａｌ  Ｃｏ．，  Ｌｔｄ．、ＴＯＲＡＹ  Ｄｏｗ  Ｃｏｒｎｉｎｇ  Ｓｉｌｉｃｏｎｅ  Ｃｏ．，  Ｌｔｄ．、Ｎｉｈｏｎ  Ｅｍｕｌｓｉｏｎ  Ｃｏ．，  Ｌｔｄ．、Ｋｙｏｅｉｓｈａ  Ｃｈｅｍｉｃａｌ  Ｃｏ．，  Ｌｔｄ．等から容易に入手できる。
【００６１】
前記ポリエーテル変性シリコーン系界面活性剤としては、特に制限はなく、使用目的に応じて適宜選択することができる。その例は、ジメチルポリシロキサンのＳｉ部分側鎖に式１で表されるポリアルキレンオキサイド構造を導入した化合物を包含する。
【００６２】
【化２】
0006644058.tif 000004
式中、Ｘは−Ｒ（Ｃ２Ｈ４Ｏ）ａ（Ｃ３Ｈ６Ｏ）ｂＲ’である。
【００６３】
式１において、ｘ、ｙ、ａ及びｂは整数であり、
Ｒはアルキル基を表し、且つ、
Ｒ’はアルキレン基を表す。
【００６４】
ポリエーテル変性シリコーン界面活性剤／ポリアルキレンオキシド変性シリコーンとしては市販品を用いることができる。
【００６５】
市販品の例は、
ＫＦ−６１８、ＫＦ−６４２及びＫＦ−６４３（Ｓｈｉｎ−Ｅｔｓｕ  Ｃｈｅｍｉｃａｌ  Ｃｏ．，  Ｌｔｄ．製）；
ＥＭＡＬＥＸ−ＳＳ−５６０２及びＳＳ−１９０６ＥＸ（Ｎｉｈｏｎ  Ｅｍｕｌｓｉｏｎ  Ｃｏ．，  Ｌｔｄ．製）；
ＦＺ−２１０５、ＦＺ−２１１８、ＦＺ−２１５４、ＦＺ−２１６１、ＦＺ−２１６２、ＦＺ−２１６３及びＦＺ−２１６４（ＴＯＲＡＹ  Ｄｏｗ  Ｃｏｒｎｉｎｇ  Ｓｉｌｉｃｏｎｅ  Ｃｏ．，  Ｌｔｄ．製）；及び
ＢＹＫ−３３、ＢＹＫ  ３３１、ＢＹＫ  ３４１、ＢＹＫ  ３４８、ＢＹＫ  ３４９、ＢＹＫ  ３４５５、ＢＹＫ−３８７（ＢＹＫ  Ｃｈｅｍｉｅ  ＧｍｂＨ製）；
Ｔｅｇｏｗｅｔ  ２４０、Ｔｅｇｏｗｅｔ  ２４５、Ｔｅｇｏｗｅｔ  ２５０、Ｔｅｇｏｗｅｔ  ２６０（Ｅｖｏｎｉｋ製）；
Ｓｉｌｗｅｔ  Ｌ−７７（Ｓａｂｉｃ製）、
ＤＢＥ  ７１４界面活性剤、
を包含する。
【００６６】
このセクションに記載されている全ての界面活性剤は、単独で使用してもよいし、複数を組み合わせて使用してもよい。
【００６７】
エトキシル化アセチレングリコール（アルコキシル化アルコールの例）は、式２に示すような一般構造を有する。
【００６８】
【化３】
0006644058.tif 000005
【００６９】
式中、Ｒ１及びＲ４は同一又は異なる炭素原子数３〜１０、好ましくは３〜６のアルキル基であり、好ましくはＲ１及びＲ４は同一であり、且つ、Ｒ２及びＲ３は同一又は異なり、且つ、メチル及びエチルから選択され、好ましくはＲ２及びＲ３は両方ともメチルであり、且つ、ｘ及びｙは両方とも整数であり、且つ、１〜６０の間の範囲の合計を有する。
【００７０】
一実施形態では、式２によるエトキシル化アセチレングリコールは、本発明のインク組成物中の界面活性剤単独又は他の界面活性剤と組み合わせて使用され、ｘ及びｙは互いに独立しており、且つ、それぞれは０〜２５の間、好ましくは０〜２０の間、より好ましくは０〜１５の間であり、但し、ｘ及びｙの少なくとも１つは０より大きい。
【００７１】
エトキシル化アセチレングリコールの具体例は、エトキシル化３−メチル−１−ノニン−３−オール、エトキシル化７，１０−ジメチル−８−ヘキサデシン−７，１０−ジオール、エトキシル化４，７−ジメチル−５−デシン−４，５−ジオール、エトキシル化２，４，７，９−テトラメチル−５−デシン−４，７−ジオール、及びエトキシル化２，５，８，１１−テトラメチル−６−ドデシン−５，８−ジオールである。これらは互いに組み合わせて使用することができる。
【００７２】
本発明者らは、驚くべきことに、反応液中に存在する両性界面活性剤である第１の界面活性剤は、好ましくは非イオン性界面活性剤であり、好ましくは親水性シリコーン（例えばポリアルキレンオキシド変性シリコーン／ポリエーテル変性シリコーン）、アルコキシル化アルコール、フッ素系界面活性剤、ポリエーテル変性シリコーン界面活性剤及びポリエチレンオキシド（全て上に例示されている）からなる群から選択される、第２の界面活性剤を添加することができる。たとえそのような第２の界面活性剤が、単独で使用される場合、反応液と相溶性でなくても（例えば反応液の高い塩含有量のため）、第２の界面活性剤を添加することができる。従って、両性界面活性剤は、第２界面活性剤の相溶化剤として作用し、且つ、反応液の表面張力は、（マシンコート紙を包含する）記録基板の反応液による濡れ性を改善するために適切に適合させることができる。このようにプリント基板上への反応液の広がり(spreading)が改善されることができることは、反応液の（非常に）薄い層を塗布することが望ましい場合には、非常に好ましい。
【００７３】
インク
反応液に含まれる塩と接触したときに凝集する、分散した粒子を含むいずれのインク組成物は、本発明の反応液と組み合わせて好適に使用することができる。分散された粒子は、着色剤粒子、特に顔料粒子及び／又はラテックス粒子であってもよい。適切なインクの例は、水性顔料インク及びラテックスインクである。その場合、インク中に存在する粒子（例えば、顔料粒子及び／又はラテックス粒子）が本発明によるプライマー組成物中に存在する金属塩との反応(reacting)に感受性である。そのようなインク組成物は、例えば、公開された国際特許出願ＷＯ２０１３／１３１９２４、特に実施例及び引用された先行技術に開示されており、これらは参照により本明細書に組み込まれる。
【００７４】
着色剤
着色剤粒子は、着色剤が水分散されている限り、顔料又は顔料の混合物、染料又は染料の混合物、又は顔料及び染料を含む混合物であってもよい。
【００７５】
本発明に用いることができる顔料としては、一般に知られているものを制限なく用いることができ、且つ、水分散顔料又は油分散顔料のいずれも使用することができる。例えば、不溶性顔料やレーキ顔料などの有機顔料のほか、カーボンブラックなどの無機顔料も好ましく用いることができる。
【００７６】
不溶性顔料の例は、特に限定されないが、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、又はジケトピロロピロール染料が好ましい。
【００７７】
例えば、黒色及びカラーインク用の無機顔料及び有機顔料が例示される。これらの顔料は、単独で又は組み合わせて使用することができる。
【００７８】
無機顔料としては、酸化チタン、酸化鉄、炭酸カルシウム、硫酸バリウム、水酸化アルミニウム、バリウムイエロー、カドミウムレッド、クロムイエローの他に、公知の方法、例えば接触法、ファーネス法、サーマル法などで製造されたカーボンブラックを用いることができる。
【００７９】
有機顔料としては、（アゾレーキ、不溶性アゾ顔料、縮合顔料、キレートアゾ顔料等を包含する）アゾ顔料、多環顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、及びキノフタロン顔料）、染料キレート（例えば、塩基性染料型キレート、酸性染料型キレート）、ニトロ顔料、ニトロソ顔料、アニリンブラック等を使用することが可能である。これらの中でも、特に、水と親和性の高い顔料が好ましく用いられる。
【００８０】
好ましく使用可能な特定の顔料が以下に列挙される。
【００８１】
マゼンタ又はレッド用の顔料の例は、Ｃ．Ｉ．  Ｐｉｇｍｅｎｔ  Ｒｅｄ  １、Ｃ．Ｉ．  Ｐｉｇｍｅｎｔ  Ｒｅｄ  ２、Ｃ．Ｉ．  Ｐｉｇｍｅｎｔ  Ｒｅｄ  ３、Ｃ．Ｉ．  Ｐｉｇｍｅｎｔ  Ｒｅｄ  ５、Ｃ．Ｉ．  Ｐｉｇｍｅｎｔ  Ｒｅｄ  ６、Ｃ．Ｉ．  Ｐｉｇｍｅｎｔ  Ｒｅｄ  ７、Ｃ．Ｉ．  Ｐｉｇｍｅｎｔ  Ｒｅｄ  １５、Ｃ．Ｉ．  Ｐｉｇｍｅｎｔ  Ｒｅｄ  １６、Ｃ．Ｉ．  Ｐｉｇｍｅｎｔ  Ｒｅｄ  １７、Ｃ．Ｉ．  Ｐｉｇｍｅｎｔ  Ｒｅｄ  ２２、Ｃ．Ｉ．  Ｐｉｇｍｅｎｔ  Ｒｅｄ  ２３、Ｃ．Ｉ．  Ｐｉｇｍｅｎｔ  Ｒｅｄ  ３１、Ｃ．Ｉ．  Ｐｉｇｍｅｎｔ  Ｒｅｄ  ３８、Ｃ．Ｉ．  Ｐｉｇｍｅｎｔ  Ｒｅｄ  ４８：１、Ｃ．Ｉ．  Ｐｉｇｍｅｎｔ  Ｒｅｄ  ４８：２（Ｐｅｒｍａｎｅｎｔ  Ｒｅｄ  ２Ｂ（Ｃａ））、Ｃ．Ｉ．  Ｐｉｇｍｅｎｔ  Ｒｅｄ  ４８：３、Ｃ．Ｉ．  Ｐｉｇｍｅｎｔ  Ｒｅｄ  ４８：４、Ｃ．Ｉ．  Ｐｉｇｍｅｎｔ  Ｒｅｄ  ４９：１、Ｃ．Ｉ．  Ｐｉｇｍｅｎｔ  Ｒｅｄ  ５２：２、Ｃ．Ｉ．  Ｐｉｇｍｅｎｔ  Ｒｅｄ  ５３：１、Ｃ．Ｉ．  Ｐｉｇｍｅｎｔ  Ｒｅｄ  ５７：１（Ｂｒｉｌｌｉａｎｔ  Ｃａｒｍｉｎｅ  ６Ｂ）、Ｃ．Ｉ．  Ｐｉｇｍｅｎｔ  Ｒｅｄ  ６０：１、Ｃ．Ｉ．  Ｐｉｇｍｅｎｔ  Ｒｅｄ  ６３：１、Ｃ．Ｉ．  Ｐｉｇｍｅｎｔ  Ｒｅｄ  ６４：１、Ｃ．Ｉ．  Ｐｉｇｍｅｎｔ  Ｒｅｄ  ８１、Ｃ．Ｉ．  Ｐｉｇｍｅｎｔ  Ｒｅｄ  ８３、Ｃ．Ｉ．  Ｐｉｇｍｅｎｔ  Ｒｅｄ  ８８、Ｃ．Ｉ．  Ｐｉｇｍｅｎｔ  Ｒｅｄ  １０１（ベンガラ）、Ｃ．Ｉ．  Ｐｉｇｍｅｎｔ  Ｒｅｄ  １０４、Ｃ．Ｉ．  Ｐｉｇｍｅｎｔ  Ｒｅｄ  １０６、Ｃ．Ｉ．  Ｐｉｇｍｅｎｔ  Ｒｅｄ  １０８（カドミウムレッド）、Ｃ．Ｉ．  Ｐｉｇｍｅｎｔ  Ｒｅｄ  １１２、  Ｃ．Ｉ．  Ｐｉｇｍｅｎｔ  Ｒｅｄ  １１４、Ｃ．Ｉ．  Ｐｉｇｍｅｎｔ  Ｒｅｄ  １２２（キナクリドンマゼンタ）、Ｃ．Ｉ．  Ｐｉｇｍｅｎｔ  Ｒｅｄ  １２３、Ｃ．Ｉ．  Ｐｉｇｍｅｎｔ  Ｒｅｄ  １３９、Ｃ．Ｉ．  Ｐｉｇｍｅｎｔ  Ｒｅｄ  ４４、Ｃ．Ｉ．  Ｐｉｇｍｅｎｔ  Ｒｅｄ  １４６、Ｃ．Ｉ．  Ｐｉｇｍｅｎｔ  Ｒｅｄ  １４９、Ｃ．Ｉ．  Ｐｉｇｍｅｎｔ  Ｒｅｄ  １６６、Ｃ．Ｉ．  Ｐｉｇｍｅｎｔ  Ｒｅｄ  １６８、  Ｃ．Ｉ．  Ｐｉｇｍｅｎｔ  Ｒｅｄ  １７０、  Ｃ．Ｉ．  Ｐｉｇｍｅｎｔ  Ｒｅｄ  １７２、  Ｃ．Ｉ．  Ｐｉｇｍｅｎｔ  Ｒｅｄ  １７７、Ｃ．Ｉ．  Ｐｉｇｍｅｎｔ  Ｒｅｄ  １７８、Ｃ．Ｉ．  Ｐｉｇｍｅｎｔ  Ｒｅｄ  １７９、Ｃ．Ｉ．  Ｐｉｇｍｅｎｔ  Ｒｅｄ  １８５、Ｃ．Ｉ．  Ｐｉｇｍｅｎｔ  Ｒｅｄ  １９０、Ｃ．Ｉ．  Ｐｉｇｍｅｎｔ  Ｒｅｄ  １９３、Ｃ．Ｉ．  Ｐｉｇｍｅｎｔ  Ｒｅｄ  ２０９、Ｃ．Ｉ．  Ｐｉｇｍｅｎｔ  Ｒｅｄ  ２１９  ａｎｄ  Ｃ．Ｉ．  Ｐｉｇｍｅｎｔ  Ｒｅｄ  ２２２、Ｃ．Ｉ．  Ｐｉｇｍｅｎｔ  Ｖｉｏｌｅｔ  １（ローダミンレーキ）、  Ｃ．Ｉ．  Ｐｉｇｍｅｎｔ  Ｖｉｏｌｅｔ  ３、Ｃ．Ｉ．  Ｐｉｇｍｅｎｔ  Ｖｉｏｌｅｔ  ５：１、Ｃ．Ｉ．  Ｐｉｇｍｅｎｔ  Ｖｉｏｌｅｔ  １６、Ｃ．Ｉ．  Ｐｉｇｍｅｎｔ  Ｖｉｏｌｅｔ  １９、Ｃ．Ｉ．  Ｐｉｇｍｅｎｔ  Ｖｉｏｌｅｔ  ２３及びＣ．Ｉ．  Ｐｉｇｍｅｎｔ  Ｖｉｏｌｅｔ  ３８を包含する。
【００８２】
オレンジ又はイエロー用の顔料の例は、Ｃ．Ｉ．  Ｐｉｇｍｅｎｔ  Ｙｅｌｌｏｗ  １、  Ｃ．Ｉ．  Ｐｉｇｍｅｎｔ  Ｙｅｌｌｏｗ  ３、  Ｃ．Ｉ．  Ｐｉｇｍｅｎｔ  Ｙｅｌｌｏｗ  １２、  Ｃ．Ｉ．  Ｐｉｇｍｅｎｔ  Ｙｅｌｌｏｗ  １３、  Ｃ．Ｉ．  Ｐｉｇｍｅｎｔ  Ｙｅｌｌｏｗ  １４、  Ｃ．Ｉ．  Ｐｉｇｍｅｎｔ  Ｙｅｌｌｏｗ  １５、  Ｃ．Ｉ．  Ｐｉｇｍｅｎｔ  Ｙｅｌｌｏｗ  １５：３、  Ｃ．Ｉ．  Ｐｉｇｍｅｎｔ  Ｙｅｌｌｏｗ  １７、  Ｃ．Ｉ．  Ｐｉｇｍｅｎｔ  Ｙｅｌｌｏｗ  ２４、  Ｃ．Ｉ．  Ｐｉｇｍｅｎｔ  Ｙｅｌｌｏｗ  ３４、  Ｃ．Ｉ．  Ｐｉｇｍｅｎｔ  Ｙｅｌｌｏｗ  ３５、  Ｃ．Ｉ．  Ｐｉｇｍｅｎｔ  Ｙｅｌｌｏｗ  ３７、  Ｃ．Ｉ．  Ｐｉｇｍｅｎｔ  Ｙｅｌｌｏｗ  ４２  （鉄黄）、  Ｃ．Ｉ．  Ｐｉｇｍｅｎｔ  Ｙｅｌｌｏｗ  ５３、  Ｃ．Ｉ．  Ｐｉｇｍｅｎｔ  Ｙｅｌｌｏｗ  ５５、  Ｃ．Ｉ．  Ｐｉｇｍｅｎｔ  Ｙｅｌｌｏｗ  ７４、  Ｃ．Ｉ．  Ｐｉｇｍｅｎｔ  Ｙｅｌｌｏｗ  ８１、  Ｃ．Ｉ．  Ｐｉｇｍｅｎｔ  Ｙｅｌｌｏｗ  ８３、  Ｃ．Ｉ．  Ｐｉｇｍｅｎｔ  Ｙｅｌｌｏｗ  ９３、  Ｃ．Ｉ．  Ｐｉｇｍｅｎｔ  Ｙｅｌｌｏｗ  ９４、  Ｃ．Ｉ．  Ｐｉｇｍｅｎｔ  Ｙｅｌｌｏｗ  ９５、  Ｃ．Ｉ．  Ｐｉｇｍｅｎｔ  Ｙｅｌｌｏｗ  ９７、  Ｃ．Ｉ．  Ｐｉｇｍｅｎｔ  Ｙｅｌｌｏｗ  ９８、  Ｃ．Ｉ．  Ｐｉｇｍｅｎｔ  Ｙｅｌｌｏｗ  １００、  Ｃ．Ｉ．  Ｐｉｇｍｅｎｔ  Ｙｅｌｌｏｗ  １０１、  Ｃ．Ｉ．  Ｐｉｇｍｅｎｔ  Ｙｅｌｌｏｗ  １０４、  Ｃ．Ｉ．  Ｐｉｇｍｅｎｔ  Ｙｅｌｌｏｗ  ４０８、  Ｃ．Ｉ．  Ｐｉｇｍｅｎｔ  Ｙｅｌｌｏｗ  １０９、  Ｃ．Ｉ．  Ｐｉｇｍｅｎｔ  Ｙｅｌｌｏｗ  １１０、  Ｃ．Ｉ．  Ｐｉｇｍｅｎｔ  Ｙｅｌｌｏｗ  １１７、  Ｃ．Ｉ．  Ｐｉｇｍｅｎｔ  Ｙｅｌｌｏｗ  １２０、  Ｃ．Ｉ．  Ｐｉｇｍｅｎｔ  Ｙｅｌｌｏｗ  １２８、  Ｃ．Ｉ．  Ｐｉｇｍｅｎｔ  Ｙｅｌｌｏｗ  １３８、  Ｃ．Ｉ．  Ｐｉｇｍｅｎｔ  Ｙｅｌｌｏｗ  １５０、  Ｃ．Ｉ．  Ｐｉｇｍｅｎｔ  Ｙｅｌｌｏｗ  １５１、  Ｃ．Ｉ．  Ｐｉｇｍｅｎｔ  Ｙｅｌｌｏｗ  １５３  ａｎｄ  Ｃ．Ｉ．  Ｐｉｇｍｅｎｔ  Ｙｅｌｌｏｗ  １８３；  Ｃ．Ｉ．  Ｐｉｇｍｅｎｔ  Ｏｒａｎｇｅ  ５、  Ｃ．Ｉ．  Ｐｉｇｍｅｎｔ  Ｏｒａｎｇｅ  １３、  Ｃ．Ｉ．  Ｐｉｇｍｅｎｔ  Ｏｒａｎｇｅ  １６、  Ｃ．Ｉ．  Ｐｉｇｍｅｎｔ  Ｏｒａｎｇｅ  １７、  Ｃ．Ｉ．  Ｐｉｇｍｅｎｔ  Ｏｒａｎｇｅ  ３１、  Ｃ．Ｉ．  Ｐｉｇｍｅｎｔ  Ｏｒａｎｇｅ  ３４、  Ｃ．Ｉ．  Ｐｉｇｍｅｎｔ  Ｏｒａｎｇｅ  ３６、  Ｃ．Ｉ．  Ｐｉｇｍｅｎｔ  Ｏｒａｎｇｅ  ４３、及びＣ．Ｉ．  Ｐｉｇｍｅｎｔ  Ｏｒａｎｇｅ  ５１を包含する。
【００８３】
グリーン又はシアン用の顔料の例は、Ｃ．Ｉ．  Ｐｉｇｍｅｎｔ  Ｂｌｕｅ  １、  Ｃ．Ｉ．  Ｐｉｇｍｅｎｔ  Ｂｌｕｅ  ２、Ｃ．Ｉ．  Ｐｉｇｍｅｎｔ  Ｂｌｕｅ  １５、  Ｃ．Ｉ．  Ｐｉｇｍｅｎｔ  Ｂｌｕｅ  １５：１、  Ｃ．Ｉ．  Ｐｉｇｍｅｎｔ  Ｂｌｕｅ  １５：２、  Ｃ．Ｉ．  Ｐｉｇｍｅｎｔ  Ｂｌｕｅ  １５：３  （フタロシアニンブルー）、  Ｃ．Ｉ．  Ｐｉｇｍｅｎｔ  Ｂｌｕｅ  １６、  Ｃ．Ｉ．  Ｐｉｇｍｅｎｔ  Ｂｌｕｅ  １７：１、  Ｃ．Ｉ．  Ｐｉｇｍｅｎｔ  Ｂｌｕｅ  ５６、  Ｃ．Ｉ．  Ｐｉｇｍｅｎｔ  Ｂｌｕｅ  ６０、  Ｃ．Ｉ．  Ｐｉｇｍｅｎｔ  Ｂｌｕｅ  ６３、  Ｃ．Ｉ．  Ｐｉｇｍｅｎｔ  Ｇｒｅｅｎ  １、  Ｃ．Ｉ．  Ｐｉｇｍｅｎｔ  Ｇｒｅｅｎ  ４、  Ｃ．Ｉ．  Ｐｉｇｍｅｎｔ  Ｇｒｅｅｎ  ７、  Ｃ．Ｉ．  Ｐｉｇｍｅｎｔ  Ｇｒｅｅｎ  ８、  Ｃ．Ｉ．  Ｐｉｇｍｅｎｔ  Ｇｒｅｅｎ  １０、  Ｃ．Ｉ．  Ｐｉｇｍｅｎｔ  Ｇｒｅｅｎ  １７、  Ｃ．Ｉ．  Ｐｉｇｍｅｎｔ  Ｇｒｅｅｎ  １８及びＣ．Ｉ．  Ｐｉｇｍｅｎｔ  Ｇｒｅｅｎ  ３６を包含する。
【００８４】
上記顔料の他に、レッド、グリーン、ブルー又は中間色が要求される場合は、以下の顔料を単独又は組み合わせて用いることが好ましい。使用可能な顔料の例は、Ｃ．Ｉ．  Ｐｉｇｍｅｎｔ  Ｒｅｄ  ２０９、  ２２４、  １７７、  ａｎｄ  １９４、  Ｃ．Ｉ．  Ｐｉｇｍｅｎｔ  Ｏｒａｎｇｅ  ４３、  Ｃ．Ｉ．  Ｖａｔ  Ｖｉｏｌｅｔ  ３、  Ｃ．Ｉ．  Ｐｉｇｍｅｎｔ  Ｖｉｏｌｅｔ  １９、  ２３、  ａｎｄ  ３７、  Ｃ．Ｉ．  Ｐｉｇｍｅｎｔ  Ｇｒｅｅｎ  ３６、及び７、  Ｃ．Ｉ．  Ｐｉｇｍｅｎｔ  Ｂｌｕｅ  １５：６を包含する。
【００８５】
さらにブラック用の顔料の例は、Ｃ．Ｉ．  Ｐｉｇｍｅｎｔ  Ｂｌａｃｋ  １、  Ｃ．Ｉ．  Ｐｉｇｍｅｎｔ  Ｂｌａｃｋ  ６、  Ｃ．Ｉ．  Ｐｉｇｍｅｎｔ  Ｂｌａｃｋ  ７及びＣ．Ｉ．  Ｐｉｇｍｅｎｔ  Ｂｌａｃｋ  １１を包含する。本発明に用いることのできる黒色インク用の顔料の具体例は、
カーボンブラック（例えばファーネスブラック、ランプブラック、アセチレンブラック、及びチャンネルブラック等）；
（Ｃ．Ｉ．  Ｐｉｇｍｅｎｔ  Ｂｌａｃｋ  ７）又は金属系顔料（例えば、銅、鉄（Ｃ．Ｉ．  Ｐｉｇｍｅｎｔ  Ｂｌａｃｋ  １１）、及び酸化チタン；及び
有機顔料（例えば、アニリンブラック（Ｃ．Ｉ．  Ｐｉｇｍｅｎｔ  Ｂｌａｃｋ  １）；
を包含する。
【００８６】
インクジェットインクに含まれる水不溶性顔料の含有量は、固形分として、好ましくは０．５〜１５重量％、より好ましくは０．８〜１０重量％、及びさらに好ましくは１〜６重量％である。水不溶性顔料の含有量が０．５重量％未満であると、発色性やインクの画像濃度が低下することがある。１５重量％を超えると、インクの粘度が高くなり、インクの吐出安定性が低下するので好ましくない。
【００８７】
ラテックス粒子
本発明のインクセット中に存在するインクジェットインクは、記録媒体への顔料の定着性の観点から、水分散樹脂（ラテックス樹脂）を含有していてもよい。水分散性樹脂としては、製膜性（画像形成性）に優れ、且つ、高い耐水性、高い撥水性、高い耐水性及び高い耐候性を有する水分散樹脂が、高い耐水性及び高い画像濃度（高い発色性）を有する画像を記録する場合に有用である。
【００８８】
水分散樹脂の例は、合成樹脂及び天然高分子化合物を包含する。
【００８９】
合成樹脂の例は、ポリエステル樹脂、ポリウレタン樹脂、ポリエポキシ樹脂、ポリアミド樹脂、ポリエーテル樹脂、ポリ（メタ）アクリル樹脂、アクリルシリコーン樹脂、フッ素系樹脂、ポリオレフィン樹脂、ポリスチレン系樹脂、ポリブタジエン系樹脂、ポリ酢酸ビニル系樹脂、ポリビニルアルコール系樹脂、ポリビニルエステル系樹脂、ポリ塩化ビニル系樹脂、ポリアクリル酸系樹脂、不飽和カルボン酸系樹脂及びコポリマー、例えばスチレン−アクリレートコポリマー樹脂、スチレン−ブタジエンコポリマー樹脂、を包含する。
【００９０】
天然高分子化合物の例は、セルロース、ロジン、及び天然ゴムを包含する。
【００９１】
一実施形態において、本発明に用いられる水分散樹脂は、カルボキシル基又はスルホン酸基などの水溶性官能基を有する樹脂から構成されてもよい。
【００９２】
一実施形態において、本発明のインク組成物は、水分散樹脂の高速凝集作用を生み出す観点から、解離速度の小さいカルボキシル基を有する樹脂を含む。カルボン酸基はｐＨ変化の影響を受けやすいため、分散状態が容易に変化し、且つ、その凝集性が高い。本実施形態によるインク組成物における使用に好適な樹脂の例は、アクリル樹脂、酢酸ビニル樹脂、スチレンブタジエン樹脂、塩化ビニル樹脂、アクリルスチレン樹脂、ブタジエン樹脂、及びスチレン樹脂である。水分散樹脂の樹脂成分としては、分子中に親水性部分と疎水性部分とを併せ持つポリマーであることが好ましい。疎水性部分を有することにより、疎水性部分が水分散性樹脂の内部に配向し、且つ、親水性部分が水分散性樹脂の外側に効果的に配向することが可能である。その結果、液体のｐＨ変化に応じて分散状態の変化が大きくなり、且つ、インクの凝集がより効率的に行われる。
【００９３】
市販の水分散樹脂エマルションの例は、
Ｊｏｎｃｒｙｌ  ５３７及び７６４０（スチレン−アクリル樹脂エマルション、Ｊｏｈｎｓｏｎ  Ｐｏｌｙｍｅｒ  Ｃｏ．，  Ｌｔｄ．製）、
Ｍｉｃｒｏｇｅｌ  Ｅ−１００２及びＥ−５００２（スチレン−アクリル樹脂エマルション、Ｎｉｐｐｏｎ  Ｐａｉｎｔ  Ｃｏ．，  Ｌｔｄ．製）、  Ｖｏｎｃｏａｔ  ４００１  （アクリル樹脂エマルション、Ｄａｉｎｉｐｐｏｎ  Ｉｎｋ  ａｎｄ  Ｃｈｅｍｉｃａｌｓ  Ｃｏ．，  Ｌｔｄ．製）、
Ｖｏｎｃｏａｔ  ５４５４  （スチレン−アクリル樹脂エマルション、Ｄａｉｎｉｐｐｏｎ  Ｉｎｋ  ａｎｄ  Ｃｈｅｍｉｃａｌｓ  Ｃｏ．，  Ｌｔｄ．製）、
ＳＡＥ−１０１４  （スチレン−アクリル樹脂エマルション、Ｚｅｏｎ  Ｊａｐａｎ  Ｃｏ．，  Ｌｔｄ．製）、
Ｊｕｒｙｍｅｒ  ＥＴ−４１０（アクリル樹脂エマルション、Ｎｉｈｏｎ  Ｊｕｎｙａｋｕ  Ｃｏ．，  Ｌｔｄ．製）、
Ａｒｏｎ  ＨＤ−５及びＡ−１０４（アクリル樹脂エマルション、Ｔｏａ  Ｇｏｓｅｉ  Ｃｏ．，  Ｌｔｄ．製）、
Ｓａｉｂｉｎｏｌ  ＳＫ−２００（アクリル樹脂エマルション、Ｓａｉｄｅｎ  Ｃｈｅｍｉｃａｌ  Ｉｎｄｕｓｔｒｙ  Ｃｏ．，  Ｌｔｄ．製）、及び
Ｚａｉｋｔｈｅｎｅ  Ｌ（アクリル樹脂エマルション、Ｓｕｍｉｔｏｍｏ  Ｓｅｉｋａ  Ｃｈｅｍｉｃａｌｓ  Ｃｏ．，  Ｌｔｄ．製）、
ＤＳＭ  Ｎｅｏｒｅｓｉｎｓのアクリルコポリマーエマルション、例えばＮｅｏＣｒｙｌプロダクトライン、特にアクリルスチレンコポリマーエマルションＮｅｏＣｒｙｌ  Ａ−６６２、  ＮｅｏＣｒｙｌ  Ａ−６３３、ＮｅｏＣｒｙｌ  Ａ−１１３１、  ＮｅｏＣｒｙｌ  Ａ−２０９１、  ＮｅｏＣｒｙｌ  Ａ−５５０、  ＮｅｏＣｒｙｌ  ＢＴ−１０１、  ＮｅｏＣｒｙｌ  ＳＲ−２７０、  ＮｅｏＣｒｙｌ  ＸＫ−５２、  ＮｅｏＣｒｙｌ  ＸＫ−３９、  ＮｅｏＣｒｙｌ  ＸＫ−２０５、  ＮｅｏＣｒｙｌ  Ａ−１０４４、  ＮｅｏＣｒｙｌ  Ａ−１０４９、  ＮｅｏＣｒｙｌ  Ａ−１１１０、  ＮｅｏＣｒｙｌ  Ａ−１１２０、  ＮｅｏＣｒｙｌ  Ａ−１１２７、  ＮｅｏＣｒｙｌ  Ａ−２０９２、  ＮｅｏＣｒｙｌ  Ａ−２０９９、  ＮｅｏＣｒｙｌ  Ａ−３０８、  ＮｅｏＣｒｙｌ  Ａ−４５、  ＮｅｏＣｒｙｌ  Ａ−６１５、  ＮｅｏＣｒｙｌ  ＢＴ−２４、  ＮｅｏＣｒｙｌ  ＢＴ−２６、  ＮｅｏＣｒｙｌ  ＢＴ−３６、  ＮｅｏＣｒｙｌ  ＸＫ−１５、  ＮｅｏＣｒｙｌ  Ｘ−１５１、  ＮｅｏＣｒｙｌ  ＸＫ−２３２、  ＮｅｏＣｒｙｌ  ＸＫ−２３４、  ＮｅｏＣｒｙｌ  ＸＫ−２３７、  ＮｅｏＣｒｙｌ  ＸＫ−２３８−ＮｅｏＣｒｙｌ  ＸＫ−８６、  ＮｅｏＣｒｙｌ  ＸＫ−９０  ａｎｄ  ＮｅｏＣｒｙｌ  ＸＫ−９５
を包含する。しかしながら、水分散樹脂エマルションは、これらの例に限定されるものではない。
【００９４】
フッ素系樹脂としては、フルオロオレフィン単位を有するフッ素系樹脂微粒子が好ましい。なかでも、フルオロオレフィン単位とビニルエーテル単位とを含むフッ素含有樹脂微粒子が特に好ましい。前記フルオロオレフィン単位は、特に制限されず、使用目的に応じて適宜選択することができる。その例は、−ＣＦ２ＣＦ２−、−ＣＦ２ＣＦ（ＣＦ３）−、及び−ＣＦ２ＣＦＣｌ−を包含する。
【００９５】
前記ビニルエーテル単位は、特に制限されず、使用目的に応じて適宜選択することができる。その例は、−Ｃ（Ｒａ）ＨＣ（ＯＲｂ）−を包含する。ここで、
Ｒａは水素原子又はメチル基であり、
Ｒｂは、−ＣＨ２Ｒｃ、−Ｃ２Ｈ４Ｒｃ、−Ｃ３Ｈ６Ｒｃ、−Ｃ４Ｈ８Ｒｃ及び−Ｃ５Ｈ１０Ｒｃからなる群から選択され、ここで、
Ｒｃは、水素原子（−Ｈ）、ヒドロキシ基（−ＯＨ）又はカルボン酸基（−ＣＯＯＨ）からなる群から選択される。
【００９６】
フルオロオレフィン単位とビニルエーテル単位とを含有するフッ素含有ビニルエーテル系樹脂微粒子としては、フルオロオレフィン単位とビニルエーテル単位とを交互に共重合させた交互共重合体が好ましい。このようなフッ素系樹脂微粒子としては、好適に合成された化合物を用いることができ、且つ市販品を用いることができる。市販品の例は、
Ｄａｉｎｉｐｐｏｎ  Ｉｎｋ  Ｃｈｅｍｉｃａｌ  Ｉｎｄｕｓｔｒｉｅｓ  Ｃｏ．，  Ｌｔｄ．製のＦＬＵＯＮＡＴＥ  ＦＥＭ−５００及びＦＥＭ−６００、ＤＩＣＧＵＡＲＤ  Ｆ−５２Ｓ、Ｆ−９０、Ｆ−９０Ｍ、Ｆ−９０Ｎ、及びＡＱＵＡＦＵＲＦＵＲＡＮ  ＴＥ−５Ａ；
Ａｓａｈｉ  Ｇｌａｓｓ  Ｃｏ．，  Ｌｔｄ．製ＬＵＭＩＦＬＯＮ  ＦＥ４３００、ＦＥ４５００、ＦＥ４４００、ＡＳＡＨＩ  ＧＵＡＲＤ  ＡＧ−７１０５、ＡＧ−９５０、ＡＧ−７６００、ＡＧ−７０００、及びＡＧ−１１００；
を包含する。
【００９７】
水分散樹脂は、ホモポリマー、コポリマー又は複合(composite)樹脂のいずれの形態で用いてもよく、且つ、単相構造又はコアシェル構造を有する水分散型樹脂の全て、及びパワーフィード(power-feed)乳化重合により製造されたものを用いてもよい。
【００９８】
水分散樹脂としては、
それ自体が親水性基を有し、ゆえに、ある程度の自己分散性を有する樹脂、及び
それ自体が分散性を有さないが、界面活性剤及び／又は親水性基を有する他の樹脂の使用により、分散性が付与された樹脂、
を使用することが可能である。これら樹脂の中でも、ポリエステル樹脂又はポリウレタン樹脂のアイオノマーを乳化重合又は懸濁重合させて得られる樹脂のエマルションが最も好適に用いられる。不飽和単量体の乳化重合の場合には、水中単量体(monomer  in  water)エマルション中の分散したモノマー相中で重合反応を開始させることにより樹脂分散液が得られる。水中単量体(monomer  in  water)エマルションに、重合開始剤、界面活性剤、連鎖移動剤、キレート剤、及びｐＨ調整剤を添加してもよい。これにより、水分散樹脂を容易に得ることができ、且つ、樹脂成分を変化させることができので、所望の特性が得られやすくなる。
【００９９】
本発明のインクに添加される水分散樹脂の含有量は、インク全重量に対して好ましくは１〜４０重量％であり、より好ましくは１．５〜３０重量％であり、さらにより好ましくは２〜２５重量％である。
【０１００】
さらにより好ましくは、インクジェットインクに含有される水分散樹脂の癌流量は、固形分として、インク組成物全量に対して２．５〜１５重量％、及びより好ましくは３〜７重量％である。
【０１０１】
インクは、いずれの種類にも限定されない添加剤、例えば共溶媒及び界面活性剤、を含むことができ、且つ、上記の本発明による反応液に使用される共溶媒及び界面活性剤と同様であり得る。
【０１０２】
本発明のインクセットは、本発明の反応液と、上記のようなインク組成物とを含む。
【０１０３】
印刷方法
本発明による反応液は、いずれの塗布方法、特にインクジェット印刷によってプリント基板に塗布することができる。印刷法は、例えば、公開された国際特許出願ＷＯ２０１３／１３１９２４に開示されており、これは参照により本明細書に組み込まれる。
【実施例】
【０１０４】
材料
実施例で使用された全ての化学物質(chemicals)は、別段の記載がない限り、Ｓｉｇｍａ  Ａｌｄｒｉｃｈから入手した。別段の記載がない限り、すべての化学薬品は受領したまま使用した。
界面活性剤
【０１０５】
【化４】
0006644058.tif 000006
【０１０６】
プリント基板
実施例で使用されたプリント基板は、マシンコート（ＭＣ）媒体、Ｂｕｈｒｍａｎ  Ｕｂｂｅｎｓから得られたＨｅｌｌｏマット（１１５ｇ／ｍ２、Ａ４）、Ｂｕｈｒｍａｎ  Ｕｂｂｅｎｓから得られたＨｅｌｌｏグロス（１１５ｇ／ｍ２）、Ｂｕｈｒｍａｎ  Ｕｂｂｅｎｓから得られたＨｅｌｌｏグロスＫａｒｔｏｎ（３００ｇ／ｍ２）、Ｉｇｅｐａから得られたＰｒｏｆｉｍａｔｔ（ｈｏｌｚｆｒｅｉ  Ｂｉｌｄｅｒｄｒｕｃｋ）（１１５ｇ／ｍ２）、及びＰａｐｙｒｕｓから得られたＬｏｘｏａｒｔ（Ｓａｍｔ  Ｏｆｆｓｅｔ）（１７０ｇ／ｍ２）である。
【０１０７】
方法
ドットスプレッド(dot  spread)
プライマーは無色であり、これにより、プリント基板上の反応液のドットスプレッドを測定することが困難になる。従って、染料（０．０１ｗｔ％のＢａｓｏｎｙｌレッド染料）を反応液に添加する。この染料を添加することにより、顕微鏡上の蛍光フィルターで着色したドットを測定することが可能である。紙上のプライマードットのドット径を測定する。
【０１０８】
反応液をＫｙｏｃｅｒａ  ＫＪＢ４プリントヘッドで噴射する。最小液滴サイズ１（約３ｐＬ）。液滴体積は、すべてのノズルで所定量の液滴を印刷することによって決定される。反応液容器の重量損失を測定し、密度を測定する（約１．１４ｇ／Ｌ）。重量損失、密度及び液滴の量によって、（単一の）液滴体積を計算することができる。液滴体積から、空気中の液滴直径が計算される。
【０１０９】
拡散係数（spread  factor、Ｓｆ）は、空気中の液滴直径で割った液滴直径（印刷基材上、例えば紙上）によって計算される。
【０１１０】
比較実施例Ａ〜Ｅ：  本発明の範囲外の反応液の調製
グリセリン（ＫＡＯから得た）２１．２グラム、マグネシウムピドラート１８．５グラム、表１に示す界面活性剤０．５グラム及びＵＨＱ水のバランス量を混合した。１００グラムの反応液が得られ、その組成を表１に示す。
【０１１１】
比較実施例Ｆ：  本発明の範囲外の反応液の調製
比較実施例Ａを繰り返した。マグネシウムピドラートを酢酸マグネシウムで置き換えた。その組成を表１に示す。
【０１１２】
比較実施例Ｇ：  単独の界面活性剤として両性界面活性剤を含む反応液の調製
比較実施例Ａを、界面活性剤を２重量％のＴｏｍａｍｉｎｅ（登録商標）アルカリ界面活性剤（両性）で置き換えて繰り返した。それに応じて水の量を調節した。表１に示す組成を得た。
【０１１３】
実施例１−３：本発明の反応液の調製
比較実施例Ａ〜Ｃを繰り返し、表１に示す量のＴｏｍａｍｉｎｅ（登録商標）アルカリ界面活性剤（両性）を添加した。
【０１１４】
実施例４：  本発明の反応液の調製
Ｄｙｎｏｌ（登録商標）６０７の代わりにＴＥＧＯ（登録商標）Ｗｅｔ  ５００を用いて実施例１を繰り返した。成分の量は、表１に示す組成が得られるように調整した。
【０１１５】
実施例５：本発明の反応液の調製
比較実施例ＦをＳｕｒｆｙｎｏｌ（登録商標）４６５の代わりにＤｙｎｏｌ（登録商標）６０７で繰り返し、両性界面活性剤としてＴｏｍａｍｉｎｅ（登録商標）アルカリを添加した。表１に示す組成が得られるように各成分の量を調整した。
【０１１６】
実施例６：  本発明の反応液の調製
両性界面活性剤としてＴｏｍａｍｉｎｅ（登録商標）アルカリの代わりにＢｅｔａｄｅｔ（登録商標）ＨＲを用いて実施例１を繰り返した。得られた組成を表１に示す。
【０１１７】
表１：  比較実施例Ａ〜Ｇ及び実施例１〜６による反応液の組成物
【表１】
0006644058.tif 000007
【０１１８】
表１の続き
【表２】
0006644058.tif 000008
【０１１９】
実施例７：  マシンコートされた媒体上の、比較実施例Ｆ及びＧ並びに実施例１〜５による反応液のドットスプレッド(dot  spreading)
比較例Ｆ及びＧ並びに実施例１〜５による（少量の染料を添加した）反応液による印刷実験を上記の方法に従って行った。拡散係数（Ｓｆ）を決定した。結果を表２に要約する。
【０１２０】
表２：いくつかのＭＣ媒体上の反応液の拡散係数（Ｓｆ）
【０１２１】
【表３】
0006644058.tif 000009
【０１２２】
ｎ．ｄ．＝  未検の(ｎｏｔ  ｄｅｔｅｒｍｉｎｅｄ)
【０１２３】
比較実施例Ａ〜Ｅによる反応液の外観は、反応液の成分の非相溶性を示す「濁った」液体として認定された。実施例１〜３は、それぞれ実施例Ａ〜Ｃと比較して、同様の量の「第２の」界面活性剤を含有していた。組成物が透明な溶液になるまで両性界面活性剤を加え、両性界面活性剤が「第２の」界面活性剤に対する相溶化剤として作用することを示した。
【０１２４】
比較実施例Ａ〜Ｅによる反応液は、噴射によって塗布するのに適しておらず、且つ／又はプリント基板への不十分な拡散(spreading)を示す（有効ではない）。
【０１２５】
表２は、いくつかの界面活性剤（Ｓｕｒｆｙｎｏｌ（登録商標）４６５が示されている、比較実施例Ｆ、表１及び表２）は高濃度のいくつかの塩（比較実施例ＦにおけるＭｇ−酢酸塩）と適合性があるが、プリント基板上の拡散(spreading)は制限される（すなわち、２．５以下）。
【０１２６】
表２は、いくつかのＭＣ媒体上における、比較実施例Ｆ及びＧならびに実施例１〜５による反応液の拡散係数をさらに示す。比較実施例Ｇの反応液の平均拡散率は２．１であった。比較実施例Ｇの反応液は、単独の界面活性剤として両性界面活性剤を含む。実施例１〜５はすべて、両性界面活性剤（相溶化剤としても使用される）及び「第２の」界面活性剤を含む。表２は、比較実施例Ｇに対して拡散係数が増加することをはっきりと示している。したがって、両性界面活性剤を使用することにより、第２の界面活性剤に対する相溶性が増加する。反応液の表面張力を最適化し、且つ、拡散挙動(spreading  behavior)を大幅に向上させることができる。